(57)【要約】【課題】パソコンのディスプレイ画面に表示されるマウスポインタを移動する為のマウスにおいて、長時間マウスを握ったり、クリックを多用すると指や手のひらが疲労したり、痛くなることがあった。特に指関節を曲げ続けると指が痛くなることがあった。【解決手段】マウスの補助具として指ストレッチバーを設ける。指ストレッチバーは例えば、マウス分離型の１やマウス装着型の８および１０やマウス一体型の１４である。指ストレッチバーの頂点までの高さＢは、マウス本体の高さＡより高いことを特徴とする指ストレッチバーを設ける。【選択図】図１
2006221531.tif 000002
【特許請求の範囲】
【請求項１】
指ストレッチバーを設けたことを特徴とする補助具。
【請求項２】
指ストレッチバーを設けたことを特徴とするマウス補助具。
【請求項３】
マウスに装着可能なフックを設けた指ストレッチバーを設けたことを特徴とする補助具。
【請求項４】
サイズ調節機能がある指ストレッチバーを特徴とする補助具。
【請求項５】
サイズ調節機能がある指ストレッチバーを特徴とするマウス補助具。
【請求項６】
前記請求項５記載のサイズ調節機能がある指ストレッチバーを特徴とするマウス補助具は、マウスに装着可能なフックを設けたことを特徴とするマウス補助具。
【請求項７】
指ストレッチバーを設けたことを特徴とするマウス。
【請求項８】
マウス本体の高さより指ストレッチバーの頂点の高さが高くなる指ストレッチバーを設けたことを特徴とするマウス補助具。
【請求項９】
マウス本体の高さより指ストレッチバーの頂点の高さが高くなる指ストレッチバーを設けたことを特徴とする指ストレッチバー一体型マウス。
【請求項１０】
請求項３および請求項６記載のマウスに装着できることを特徴とする補助具は、クリックをすることを妨げない部分で固定できることを特徴とするマウス補助具。
【請求項１１】
コードが通る空間を設けたことを特徴とする指ストレッチバーマウス補助具および指ストレッチバー一体型マウス。
【請求項１２】
手で保持することなく、手を離しても使用する形態で保持する指ストレッチバーを設けたことを特徴とするマウス補助具。
【発明の詳細な説明】
【技術分野】
【０００１】
この発明は、パソコンなどに使われるマウスの補助具の形状に関する。
【背景技術】
【０００２】
従来のマウスの形状は、図１２に示すように半球状や半卵型の形状でである。実用新案第３０８４７２８号にあるマウス指休め具がある。
【特許文献１】実用新案第３０８４７２８号公報
【発明の開示】
【発明が解決しようとする課題】
【０００３】
しかしながら、以上の技術によれば、長時間マウスを握り続けたり、クリックを多用すると、指や手が疲労することがあった。実用新案第３０８４７２８号公報にあるマウス指休め具は、指の第二関節あたりで関節を曲げて握るため、マウス使用時と似た指を内側に曲げることになる。従来の指休め具は、使用時は手で保持する必要があった。また指を載せる場所が決まっているため、指と指の間隔を開いて、指ストレッチ体操することが困難であった。そこでこの発明は、指先を指ストレッチバーに掛け、指を反らせたり曲げたりしたり指同士の間隔を自由に広げたりし、長時間指間接を曲げ続けた疲労を軽減させることを提供することを課題とする。
【課題を解決するための手段】
【０００４】
以上の課題を解決するために、第一発明は、指ストレッチバーを設けたことを特徴とするマウス補助具である。
また、第二発明は、マウスに装着することができる指ストレッチバーを設けたことを特徴とする補助具である。
第二発明のマウスに装着できることを特徴とする補助具は、クリックをすることを妨げない部分で固定できるフックを設けたことを特徴とするマウス補助具である。
第三発明は、第二発明においてマウス前方が細くなる場合、調節機能をつけたことを特徴とするマウス補助具である。
第四発明は、指ストレッチバーを設けたことを特徴とするマウスである。
第五発明は、第一発明、第二発明、第四発明においてコードが通る空間を設けたことを特徴とする指ストレッチバーマウス補助具、および一体型マウスである。
第一発明、第二発明、第三発明、第四発明の指ストレッチバーの頂点は、マウス本体の高さより高くなることを特徴とするマウス補助具、および一体型マウスである。
【発明の効果】
【０００５】
指先を指ストレッチバーに掛けて指間接をを伸ばしたり反らしたりして指の疲労の回復を助けることができる。長時間マウスを握り続けたりクリックを多用して、長時間指間接を曲げ続けた疲労を軽減させることを提供することができる。
【発明を実施するための最良の形態】
【０００６】
この発明の一実施形態を、図１に示す。この一実施形態は、マウスと分離型の指ストレッチバーである。
指先を載せる指ストレッチバー１を設ける。指ストレッチバー１を立たせる足２を設ける。指ストレッチバー１は、ＥＶＡ樹脂などが望ましい。足２はポリプロピレンなどが望ましい。素材を限定することではない。
【０００７】
「実施形態の効果」
この実施形態によれば、指ストレッチバー１の働きで、指先を指ストレッチバーに掛け、指関節を伸ばしたり反らせたりし、長時間マウスを握り続けたりクリックを多用して、長時間指間接を曲げ続けた疲労を軽減させることができる。マウスのコード６が通る空間７を設けたことにより、通常のマウス操作を行っても、マウスコード６がこの補助具と絡むことはない。また足２を指ストレッチバーのマウス側の面Ｃより出ていないか、出ていても数ミリとすることで通常のマウス操作でマウス本体５と指ストレッチバーの足２がぶつからないようにできる。またマウス本体の高さＡより指ストレッチバーの頂点までの高さＢが高くなるように設けたため、指先を指ストレッチバーに掛けると、指間接を伸ばすことが容易にできる。
【０００８】
「他の実施形態」
図１の実施形態では、マウスと分離型の指ストレッチバーであったが、他の実施形態として、図４のマウス装着型指ストレッチバー８がある。例えばマウス前方横幅Ｄは６０ミリならば、マウス装着型指ストレッチバーの装着前フック間幅Ｅは４５ミリが望ましい。指ストレッチバーの素材がＥＶＡ樹脂などの弾性体であることにより、マウス装着型指ストレッチバー８の装着前フック間幅Ｅとマウス本体の前方横幅Ｄの差が１０ミリ〜２０ミリマウス本体横幅Ｄが大きければ戻ろうとする力により固定できる。マウス前方が細くなる形態の場合、マウス本体の前方の形態に合わせ固定できるよう調節機能をつけたストレッチバー１０がある。ラバー１１が押し出し棒１２の先の底面にビス１９でつけてある。ビス１９が支点となりマウス前方の形態に合わせ角度を変えることができ、押し出し棒１２に固定してある左右のつまみ１７を内側に動かすと押し出し棒１２が内側に動き、間隔を縮め、マウス本体土台部１３と指ストレッチーバー１０を固定できる。マウス本体土台部１３のにラバー１１が密着するため、クリックボタン３や４にラバーが当たっていないことが特徴で、通常のクリック操作を妨げない。
また図１０のマウス一体型の指ストレッチバー１４がある。指先を載せる棒は、面であっても良い。棒や面は弾性体であってもなくて良い。棒は緩衝材を巻いたものでも良い。マウス本体の土台部１３からストレッチバー１４が出ているので通常のクリック操作ができる。また指ストレッチバー１、８、１４ともマウス本体の高さＡより指ストレッチバーの頂点Ｂが高くなっている。そのことにより、指先を指ストレッチバーに掛けると、指間接を伸ばすことが容易にできる
【図面の簡単な説明】
【０００９】
【図１】この発明の一実施形態を示す斜視図である。
【図２】指ストレッチバー（マウス分離型）形態を示す斜視図である。
【図３】指ストレッチバー（マウス分離型）形態とマウス本体を示す左側面図である。
【図４】指ストレッチバー（マウス装着型）の実施形態を示す斜視図である。
【図５】指ストレッチバー（マウス装着型）形態を示す斜視図である。
【図６】指ストレッチバー（マウス装着型調節機能付き）の実施形態を示す斜視図である
【図７】指ストレッチバー（マウス装着型調節機能付き）形態を示す縦断面図である
【図８】調節機能形態を示す斜視図である。
【図９】調節機能形態を示す底面図である
【図１０】指ストレッチバー（マウス一体型）形態を示す斜視図である。
【図１１】指ストレッチバー（マウス一体型）形態を示す左側面図である。
【図１２】従来のマウスの形態を示す斜視図である。
【符号の説明】
【００１０】
１  指ストレッチバー（マウス分離型）
２  指ストレッチバー（マウス分離型）の足
３  右クリックボタン
４  左クリックボタン
５  マウス本体  
６  コード
７  空間
８  指ストレッチバー（マウス装着型）
９  切込み
１０  指ストレッチバー（マウス装着型調節機能付き）
１１  ラバー
１２  押し出し棒
１３  マウス本体の土台部
１４  指ストレッチバー（マウス一体型）
１５  フック
１６  固定ねじ
１７  つまみ
１８  ガイド枠
１９  ビス
Ａ  マウス本体の高さ
Ｂ  指ストレッチバーの頂点までの高さ
Ｃ  マウス分離型指ストレッチバーのマウス側前面
Ｄ  マウス前方横幅
Ｅ  装着前フック幅
【図１】
2006221531.tif 000003
【図２】
2006221531.tif 000004
【図３】
2006221531.tif 000005
【図４】
2006221531.tif 000006
【図５】
2006221531.tif 000007
【図６】
2006221531.tif 000008
【図７】
2006221531.tif 000009
【図８】
2006221531.tif 000010
【図９】
2006221531.tif 000011
【図１０】
2006221531.tif 000012
【図１１】
2006221531.tif 000013
【図１２】
2006221531.tif 000014